(57)【要約】      （修正有）【課題】景観を良くし、そして優れた大きい苞葉のミズキ科の新規な栽培変種植物を提供する。【解決手段】Ｃｏｒｎｕｓ  ｋｏｕｓａとＣ．ｎｕｔｔａｌｌｉｉとの種間雑種は、強健な性質及びＣ．ｎｕｔｔａｌｌｉｉ植物の強健な性質及び大きな、白い苞葉の花ディスプレイ及びＣ．ｋｏｕｓａ植物の暗い光沢の緑色の葉および耐病性および昆虫耐性を示す。Ｃ．ｎｕｔｔａｌｌｉｉの植物はそれらの生来の地方では本来極めて大きくなるが、他の地方では滅多に生い茂らない。この新規雑種の植物は、Ｃ．  ｋｏｕｓａの植物が分布する世界の多くの地域においてよく生い茂ることが期待される。【選択図】図１
2005176840.tif 000002
【特許請求の範囲】
【請求項１】
ミズキ科のＣｏｒｎｕｓ  ｋｏｕｏｓａとＣ．ｎｍｕｔｔａｌｌｉｉとの進歩した世代の種間雑種から成ることを特徴とするミズキの新規で特異の栽培変種植物。
【発明の詳細な説明】
【技術分野】
【０００１】
本発明は、ミズキ属ミズキ科のＣｏｒｎｕｓ  ｋｏｕｓａとＣ．ｎｕｔｔａｌｉｉとの進歩した世代の種間雑種ら成るミズキの新規で独特な栽培変種植物に関する（植物学名：ミズキ属ミズキ科ミズキのＣｏｒｎｕｓ  ｋｏｕｓａとＣ．ｎｕｔａｌｌｉｉとの種間雑種；栽培変種植物名：ＫＮ３０−８）。
【背景技術】
【０００２】
この新規の栽培変種植物は、この場合、観賞用アジアミズキ及びＣｏｒｎｕｓ  ｎｕｔａｌｌｉｉ、北アメリカの太平洋北西部に固有の巨木、大きな包葉のミズキの雑種実生からミズキの選択及び種間交雑の長期継続の詳細な計画の産物である。これら雑種の記録は、慎重に維持された、そしてそれらの相違及び優れた価値を分析した特性は潜在的な商的品種及び栽培変種植物としてのそれらの相違及び優れた値の特性を分析した。
【０００３】
我々は、栽培地域で成長したある子孫からの特定の実生を選択し、その結果として、引続き同じものを接木（通常、Ｔ−出芽又はチップ出芽）によって無性生殖させた。それは、軟材挿木によっても伝播できる。その新規の栽培変種植物の生殖及び実際の成長及び選択は、米国、ＮＪ州のニューブランズウィツク（Ｎｅｗ  Ｂｒｕｎｓｗｉｃｋ）の近くで行われた、そしてその地域であるＵＳＤＡ植物耐寒性マップゾーン６ａにおけるその栄養的耐寒性に関して優れていることがわかった。
【０００４】
以下に記載する本発明の詳細な説明から理解されるように、その新規の栽培変種植物は、実際に優れており、そのようなことが容易に確認される。以下の記載は、その新規の栽培変種植物を明確に定義し、その望ましい特性がこれまで示唆されてきた計画の結果であることが理解される。
【特許文献１】なし
【発明の開示】
【発明が解決するための手段】
【０００５】
その品種は、Ｎｅｗ  Ｊｅｒｓｅｙ農業実験場、Ｒｙｄｅｒｓ  Ｌａｎｅ（ＵＳ  Ｒｏｕｔｅ  １，Ｎｅｗ  Ｂｒｕｎｓｗｉｃｋ，ＮＪ州０８９０１、Ｍｉｄｄｌｅｓｅｘ  Ｃｏｕｎｔｙ）の園芸農場Ｎｏ．１で発見された。この実生は、１９７３年５月４日に成功し制御された交雑から得られた。この新規の品種となった実生は、１９７４年４月１５日に発芽し、１９７５年３月１７日に研究場Ｎｏ．２２の列５２の植物２２としてその場に植えた、そして今も樹齢３０年の植物としてこの場所にある。その種の親は、やまぼうし（Ｃｏｒｎｕｓ  ｋｏｕｓａ（Ｂｕｅｒｇｅｒ  ｅｘ．Ｍｉｑ．）Ｈａｎｃｅ‘Ｓｉｍｐｓｏｎ  Ｎｏ．１’（未特許）である。その花粉の親は、Ｃｏｒｎｕｓ  ｎｕｔｔａｌｌｉ  Ａｕｄ．‘Ｇｏｌｄｓｐｏｔ’（未特許）である。生殖は、園芸農場Ｎｏ．１（Ｒｕｔｇｅｒｓ  Ｕｎｉｖｅｒｓｉｔｙ，  Ｎｅｗ  Ｂｒｕｎｓｗｉｃｋ，ＮＪ州、米国）で行った。また、それは、ＮＪＡＥＳ，Ｃｏｏｋ  Ｃｏｌｌｅｇｅ／Ｒｕｔｇｅｒｓ  Ｕｎｉｖｅｒｓｉｔｙとの正式な試験合意の下にＴｅｎｎｅｓｓｅｅ，Ｏｒｅｇｏｎ，及びＣａｌｉｆｏｒｎｉａおいて養樹係によって伝播された。この新規の変種は、これらの２つの種の植物を含む最初に報告されたＦ１種間雑種である。
【発明を実施するための最良の形態】
【０００６】
本発明の植物学上の説明
植物
形態：樹木
成長習性：円柱状
成長：極めてよく育つ、緻密
高さ：３０年で８．８３ｍ
広がり：３０年で７．０７ｍ直径
【０００７】
植物の活力：Ｃ．ｎｕｔｔａｌｌｉｉの植物は、その植物が特産である北アメリカの太平洋西北部において現存している２４ｍに達する大きな包葉のミズキの巨大植物であるので、この新規のＦ１種間雑種はＣ．ｎｕｔｔａｌｌｉｉの親より育ちがよくない。しかしながら、この雑種の植物は、Ｃｏｒｎｕｓ  ｋｏｕｓａの典型的な植物より少なくとも１００％以上よく育つ。出芽によってオレゴンで伝播されたこの雑種の１年苗木は、その雑種の苗木が典型的に１．２ｍの高さであって、極めて強健であるので、Ｃｏｒｎｕｓ  ｋｏｕｓａの１年苗木のほぼ２倍の大きさである。
【０００８】
耐寒性：
植物はＵＳＤＡ耐寒性マップゾーン６ａ（−５〜−１０゜Ｆ）においては、栄養的に耐寒性であるが、花ディスプレイは多くの真花又は全体の頭状花の冬枯れのために悪い。植物は、植物耐寒性マップゾーン６ａ（＋５〜０゜Ｆ）においては、良い花ディスプレイを示す。ＵＳＤＡ耐寒性マップゾーン６ａにおける１月中の日差しの強い日に、植物は幹の南及び／又は西側に「樹皮割れ」を受ける。
【０００９】
昆虫類及び病気耐性：
その農場で原種のＦ１種間雑種実生を試験した２８年間、昆虫又は病気問題は観察されなかった。
幹：３つの直立幹の下、土壌レベルで原種実生の冠部の周囲は、３０年で１．５７ｍであった。
色：灰色−緑色グループ１９７Ｃ及び１９７Ｄ
組織（肌理）：最低の３〜４フィートでサンドペーパでざらざらにし、樹皮を薄く剥ぐ。薄く剥いだ樹脂の下の幹の色は、１６６Ｄの灰色−オレンジ色グループ及び１７４Ｂ及び１７４Ｃ灰色−オレンジ色グループに最も近い。
【００１０】
枝：
色：褐色グループ２００Ｂ及び１９７Ｂ，１９８Ｄ灰色−緑色グループ。
組織：滑らか、ごく小さい粗い隆起（皮目）。
叉の角度：７５度
皮目：長さ：１．２５〜１．７５ｍｍ
幅：０．４〜０．６５ｍｍ
色：１９７Ａ及び１９７Ｂ灰色−緑色グループに及び／又はそれらの
間に最も近い。
数：豊富であるが密度は可変
節間の長さ：５〜７ｃｍ
【００１１】
葉
葉の配列：対向
葉の大きさ−葉身：
2005176840.tif 000003
【００１２】
形状：楕円形
先端：頂端が急に短くとがっている
ベース：鋭い
ふち：全体
他の特徴：向軸表面に顕著な中助、平均５−６の二次葉脈対；葉の向軸表面の二次葉脈及び中助に微細な白色−黄褐色の軟毛の房。葉身の中間部分はまばらな軟毛を有する。
量：豊富
色合い：濃い
春葉の色、向軸面：１３７Ａ緑色グループ
背軸面：１３７Ｃ緑色グループ
成熟葉の色−向軸面：１３９Ａ緑色グループ
背軸面：１３７Ｃ緑色グループ
【００１３】
秋葉の色（１１月）：葉の約７０％がほぼ完全に緑色であるので少しの観賞価値：１３７Ａ緑色グループ；他の葉は５０〜７０％緑色（１３７Ａ緑色グループ）で、残りの表面部は黄色（２１Ｂ黄色−オレンジ・グループ）から黄色及びオレンジ及び赤（２１Ｂ黄色−オレンジ・グループ；４６Ａ赤色グループに近いが、明るくない；１７８Ａ灰色−赤色グループ）及びブルゴーニュの赤（１８７Ａ灰色−紫グループ）の範囲に及ぶ色であって、まだらである。
【００１４】
組織：向軸面：光沢があり、なめらか。
背軸面：平らでなめらか、顕著な中助。
リブ及び葉脈：背軸面で顕著な中助。
葉柄：色：１４４Ａ黄色−緑グループ（春及び夏）；１４４Ｃ（秋）。
托葉：托葉がない。
耐病性：Ｎｅｗ  Ｊｅｒｓｅｙ中央地域、Ｂｏｒｉｎｇ，Ｏｒｅｇｏｎ又はＷｉｎｃｈｅｓｅｒ，Ｔｅｎｎｅｓｓｅｅにおいて、うどん粉病又はミズキ炭素病に敏感でない。
【００１５】
花序
観察した場所：動物研究農場（ＮＪ州、Ｎｏｒｔｈ  Ｂｒｕｎｓｗｉｃｋ，ＮＪＡＥＳ）。
花序の種類：頭花又は頭状花序。密、丸いマウンド。冬の間の花芽の平均高さ及び直径は、それぞれ８．７ｍｍ及び６．２５ｍｍ（ｎ＝１０）。
【００１６】
花柄：
2005176840.tif 000004
【００１７】
この種間雑種の平均花柄の長さは、その花のディスプレー時期で、親の植物であるＣ．ｎｕｔｔａｌｌｉｉ及びＣ．ｋｏｕｓａの花柄の長さより著しく短く、それぞれ３〜８ｃｍ及び５〜１０ｃｍである。色は１３８Ｃ緑色グループである。
【００１８】
花柄に支えられた成長の苞葉：花柄上でぴったり入れ子式の２又は３対の対向する密着苞葉。形状は細長い二等辺三角形であり、苞葉の最上対の先端は、しばしば花頭底部で花苞葉の基部対に接触する。
【００１９】
成長苞葉の大きさ：可変、基部で５〜９ｍｍの長さ及び４〜５ｍｍの幅。花柄上の挿入点は、花頭の下から比較的離れている、すなわち、花柄の基部に近い。
成長苞葉の色：１４５Ａ黄色−緑色グループに最も近いが、花柄の先端及び縁に沿って１６Ａ灰色−オレンジ色グループ。
成長苞葉は、親のＣ．ｎｕｔｔａｌｌｉｉに類似して、花頭の下に支えられて、越冬する花芽における真花を包まない。苞葉は、親のＣ．ｎｕｔｔａｌｌｉｉに似ないで、Ｃ．ｋｏｕｓａの植物における成長苞葉の上部セットが越冬する花芽における真花を完全に包む。
【００２０】
花苞葉：
数：典型的に４（２対）；しばしば５又は６．
大きさ：以下に示すように上の花苞葉の大きさ（ｃｍ）：
【００２１】
2005176840.tif 000005
【００２２】
苞葉の大きさは、年毎に変わるが、上の苞葉は毎年下の苞葉より長くて狭い。この新規の種間ミズキの苞葉の大きさは、Ｃ．ｋｏｕｓａの植物に典型的な大きさの範囲内であるが、Ｃ．ｎｕｔｔａｌｌｉｉ親の総苞広がりよりもかなり小さい、Ｃ．ｎｕｔｔａｌｌｉｉの「Ｇｏｌｄｓｐｏｔ」は典型的に６〜７．５ｃｍ長さの花苞葉を含む。
【００２３】
花苞葉の色：
向軸面：１５５Ａ白色グループに最も近いが少しより黄色
背軸面：１５５Ｂ白色グループに最も近いが少しより黄色
【００２４】
花苞葉の形状：明白に倒卵形
花苞葉の先端：急に鋭い
花苞葉の基部：くさび状
【００２５】
花の説明：花の習性：極めて多花である。単花は、大きな花苞葉によって抱かれたコンパクトで緻密な頭に配列される。香りは観察されなかった。花は落ちない。苞葉の花ディスプレイは、気候条件に依存して２〜３週間続く。
【００２６】
花の習性：極めて多花であり、Ｃ．ｆｌｏｒｉｄａの植物の花ディスプレイが中止する時期、又は殆どの年にほぼ５月１４日にＮＪ州、Ｎｅｗ  Ｂｒｕｎｓｗｉｃｋで丁度始まる大きな花苞葉の観賞ディスプレイの開始の２〜４日後に小さく、比較的目立たない真花の開花が一般に始まる。
【００２７】
花頭当たりの真花の数：
１９９９年    ７５．００（ｎ＝２４）
２００１年    ７７．２４（ｎ＝２５）
２００２年    ７７．３０（ｎ＝３０）
２００３年    ７８．７０（ｎ＝１０）
我々の種間雑種の花頭当たりの真花の数は、雌の親（Ｃ．ｋｏｕｓａ）が花頭当たり約５０花を有し、雄の親（Ｃ．ｎｕｔｔａｌｌｉｉ）が花頭当たり平均１００花を有するから、それらの中間である。
【００２８】
生殖器
雄ずい：
花糸：大きさ：約１．５ｍｍ長さ、０．２５ｍｍ幅
葯：大きさ：約１ｍｍ長さ、０．２５ｍｍ幅
雌ずい：
花柱：約１．５〜１．７ｍｍ（柱頭０．２５ｍｍを含む）長さ
柱頭：約０．４ｍｍ幅
【００２９】
果実
果実をもった花頭：平らになった基部を有する丸いマウンド。単一果実が堅く圧縮されているが分離しているので外側は粗い、そして花柱及びがくは、各果実の先端で突出している。植物が極めて交雑不稔、並びに自己不親和であり、極めて少ない実が発育するので、大部分の果実は単為結果（実がない）である。果実の果皮はなめらかであり、成熟時に３４オレンジ−赤グループ〜４２Ａ赤グループ及び４４Ａ赤グループの範囲に及ぶ、発芽しうる実を有する果実は色が最高に暗い。
【００３０】
単一果実は、約１．０ｃｍ長さで０．７ｃｍ幅であり、形状は楕円体、そしてよく発育するとむしろなめらか、発芽しうる実は存在するが、単為結果の果実は小さく、むしろ角張った形状（しばしば３面そして若干平坦化）である。
【００３１】
実の色：１６５Ｅ〜１６５Ｄの灰色−オレンジ色グループに及ぶ。  
実の大きさ：約８ｍｍ長さ、４〜５ｍｍ幅。
この新規のミズキの栽培変種植物は添付写真で示す。
【図面の簡単な説明】
【００３２】
【図１】３０年の成長季節後の本願発明の原種ミズキの樹木を示す。
【図２】花のディスプレー時期に撮った図１に示したミズキの単一花頭を示す。
【図１】
2005176840.tif 000006
【図２】
2005176840.tif 000007
【手続補正書】
【提出日】平成17年3月24日(2005.3.24)
【手続補正１】
【補正対象書類名】図面
【補正対象項目名】全図
【補正方法】変更
【補正の内容】
【書類名】図面    【図１】2005176840.tif 000008
【図２】2005176840.tif 000009
【外国語明細書】
2005176840.tif 000010
2005176840.tif 000011
2005176840.tif 000012
2005176840.tif 000013
2005176840.tif 000014
2005176840.tif 000015
2005176840.tif 000016
2005176840.tif 000017
2005176840.tif 000018
2005176840.tif 000019
2005176840.tif 000020
2005176840.tif 000021
2005176840.tif 000022